(57)【要約】【課題】水性顔料インキを有する複数種の筆記具の中から用途に応じた最適な筆記具を容易に見つけることが可能な筆記具陳列セットを提供する。【解決手段】本考案の筆記具陳列セットは、複数種の筆記具と、前記複数種の筆記具を陳列する陳列具３とからなる。複数種の筆記具の各々は、内部に顔料と水を含有する水性顔料インキが収容され且つ先端に前記水性顔料インキが吐出可能なペン先を備える。複数種の筆記具の各々は、ボールペン群とマーキングペン群とからなる。ボールペン群が、得られる筆跡幅が異なる複数種のボールペンからなる。複数種のボールペンの得られる筆跡幅が、少なくとも０．１ｍｍ〜０．５ｍｍの範囲にある。マーキングペン群が、得られる筆跡幅が異なる複数種のマーキングペンからなる。複数種のマーキングペンの得られる筆跡幅が、少なくとも０．５ｍｍ〜３．０ｍｍの範囲にある。【選択図】  図１
0003203440.tif 000002
【実用新案登録請求の範囲】
【請求項１】
複数種の筆記具と、前記複数種の筆記具を陳列する陳列具とからなる筆記具陳列セットであって、
前記複数種の筆記具の各々は、内部に顔料と水を含有する水性顔料インキが収容され且つ先端に前記水性顔料インキが吐出可能なペン先を備えることを特徴とする筆記具陳列セット。
【請求項２】
前記複数種の筆記具の各々は、ボールペン群とマーキングペン群とからなり、
前記ボールペン群が、得られる筆跡幅が異なる複数種のボールペンからなり、
前記複数種のボールペンの得られる筆跡幅が、少なくとも０．１ｍｍ〜０．５ｍｍの範囲にあり、
前記マーキングペン群が、得られる筆跡幅が異なる複数種のマーキングペンからなり、
前記複数種のマーキングペンの得られる筆跡幅が、少なくとも０．５ｍｍ〜３．０ｍｍの範囲にある請求項１に記載の筆記具陳列セット。
【請求項３】
前記ボールペン群の各々のボールペンの種類が、筆跡幅において２種以上あり、色において１０種以上あり、前記マーキング群の各々のマーキングペンの種類が、筆跡幅において２種以上あり、色において１０種以上ある請求項１または２に記載の筆記具陳列セット。
【請求項４】
前記水性顔料インキは酸化チタン系白色顔料が含有され、前記水性顔料インキが、前記ボールペン群の複数種のボールペン及び前記マーキングペン群の複数種のマーキングペンに収容される請求項１乃至３の何れかに記載の筆記具陳列セット。
【請求項５】
前記水性顔料インキは金属光沢顔料が含有され、前記水性顔料インキが、前記ボールペン群の複数種のボールペン及び前記マーキングペン群の複数種のマーキングペンに収容される請求項１乃至４の何れかに記載の筆記具陳列セット。
【請求項６】
前記水性顔料インキは蛍光顔料が含有され、前記水性顔料インキが、前記ボールペン群の複数種のボールペン及び前記マーキングペン群の複数種のマーキングペンに収容される請求項１乃至５の何れかに記載の筆記具陳列セット。
【請求項７】
前記陳列具の幅は１０００ｍｍ以下である請求項１乃至６の何れかに記載の筆記具陳列セット。
【請求項８】
前記各種筆記具の端部に色表示部を備え、前記各種筆記具が前記陳列具に陳列された状態において、前記各種筆記具が、前記各種筆記具の色の種類と筆跡幅のサイズとよってマトリックス状に配列され且つ前記色表示部が視認可能に構成される請求項１乃至７の何れかに記載の筆記具陳列セット。
【請求項９】
前記マーキンペン群の各種マーキングペンの全長が、前記ボールペン群の各種ボールペンの全長より小さい請求項１乃至８の何れかに記載の筆記具陳列セット。
【請求項１０】
前記マーキンペン群の各種マーキングペンが、全ての横断面において、軸心に対して点対称形状である請求項１乃至９の何れかに記載の筆記具陳列セット。
【請求項１１】
前記ボールペン群における各種ボールペンの総筆記距離Ａｍ、前記マーキンペン群の各種マーキングペンの総筆記距離Ｂｍとしたとき、０．８Ａ＜Ｂ＜１．２Ａを満足する請求項１乃至１０の何れかに記載の筆記具陳列セット。
【考案の詳細な説明】
【技術分野】
【０００１】
本考案は、複数種の筆記具と、前記複数種の筆記具を陳列する陳列具とからなる筆記具陳列セットに関する。
【背景技術】
【０００２】
近年、水性顔料インキを有する筆記具は、水性染料インキに比べ、得られる筆跡が、耐水性、耐光性、鮮明性等に優れることから、使用する筆記具として水性顔料インキを有する筆記具を選択するユーザーが増加している。  
【０００３】
このような状況の中、従来、店頭において、筆記具の陳列は、筆記具の形態により大きく区別されている。例えば、ボールペン群とマーキングペン群とが離れた場所に配置されている。即ち、従来の筆記具陳列セットは、同種類の筆記具を有する構成が採用されている（例えば、特許文献１）。  
【０００４】
そのため、水性顔料インキを好むユーザーは、用途に応じた筆記具を購入する場合、最適な筆記具を求めて店内を歩き回ることを余儀なくされ、最適な筆記具を容易に見つけることが困難である。
【先行技術文献】
【特許文献】
【０００５】
【特許文献１】実用新案登録第３１７８７７０号公報
【考案の概要】
【考案が解決しようとする課題】
【０００６】
本考案は前記従来の問題点を解決するものであって、水性顔料インキを有する複数種の筆記具の中から用途に応じた最適な筆記具を容易に見つけることが可能な筆記具陳列セットを提供しようとするものである。
【課題を解決するための手段】
【０００７】
本願の第１の考案は、複数種の筆記具と、前記複数種の筆記具を陳列する陳列具とからなる筆記具陳列セットであって、前記複数種の筆記具の各々は、内部に顔料と水を含有する水性顔料インキが収容され且つ先端に前記水性顔料インキが吐出可能なペン先を備えることを特徴とする。
【０００８】
前記第１の考案の筆記具陳列セットによれば、水性顔料インキを好むユーザーが、用途に応じた筆記具を購入する場合、最適な筆記具を求めて店内を歩き回ることが不要となり、水性顔料インキを有する複数種の筆記具の中から用途に応じた最適な筆記具を容易に見つけることができる。
【０００９】
本願の第２の考案は、前記第１の考案の筆記具陳列セットにおいて、前記複数種の筆記具の各々は、ボールペン群とマーキングペン群とからなり、前記ボールペン群が、得られる筆跡幅が異なる複数種のボールペンからなり、前記複数種のボールペンの得られる筆跡幅が、少なくとも０．１ｍｍ〜０．５ｍｍの範囲にあり、前記マーキングペン群が、得られる筆跡幅が異なる複数種のマーキングペンからなり、前記複数種のマーキングペンの得られる筆跡幅が、少なくとも０．５ｍｍ〜３．０ｍｍの範囲にあることを特徴とする。
【００１０】
前記第２の考案の筆記具陳列セットによれば、水性顔料インキを好むユーザーが、購入時、最適な筆跡幅を有する筆記具を用途に応じて容易に選択できる。
【００１１】
本願の第３の考案は、前記第１または第２の考案の筆記具陳列セットにおいて、前記ボールペン群の各々のボールペンの種類が、筆跡幅において２種以上あり、色において１０種以上あり、前記マーキング群の各々のマーキングペンの種類が、筆跡幅において２種以上あり、色において１０種以上あることを特徴とする。
【００１２】
前記第３の考案の筆記具陳列セットによれば、ユーザーが目的の用途に応じた筆記具を購入する場合、ユーザーに多くの選択肢を提供できる。
【００１３】
本願の第４の考案は、前記第１乃至第３の何れかの考案の筆記具陳列セットにおいて、前記水性顔料インキは酸化チタン系白色顔料が含有され、前記水性顔料インキが、前記ボールペン群の複数種のボールペン及び前記マーキングペン群の複数種のマーキングペンに収容されることを特徴とする。
【００１４】
前記第４の考案の筆記具陳列セットによれば、酸化チタン系白色顔料を含有する水性顔料インキを有する複数種の筆記具（複数種のボールペン、複数種のマーキングペン）の中から、ユーザーが用途に応じた筆記具を選択できる。
【００１５】
本願の第５の考案は、前記第１乃至第４の何れかの考案の筆記具陳列セットにおいて、前記水性顔料インキは金属光沢顔料が含有され、前記水性顔料インキが、前記ボールペン群の複数種のボールペン及び前記マーキングペン群の複数種のマーキングペンに収容されることを特徴とする。
【００１６】
前記第５の考案の筆記具陳列セットによれば、金属光沢顔料を含有する水性顔料インキを有する複数種の筆記具（複数種のボールペン、複数種のマーキングペン）の中から、ユーザーが用途に応じた筆記具を選択できる。
【００１７】
本願の第６の考案は、前記第１乃至５の何れかの考案の筆記具陳列セットにおいて、前記水性顔料インキは蛍光顔料が含有され、前記水性顔料インキが、前記ボールペン群の複数種のボールペン及び前記マーキングペン群の複数種のマーキングペンに収容されることを特徴とする。
【００１８】
前記第６の考案の筆記具陳列セットによれば、蛍光顔料を含有する水性顔料インキを有する複数種の筆記具（複数種のボールペン、複数種のマーキングペン）の中から、ユーザーが用途に応じた筆記具を選択できる。
【００１９】
本願の第７の考案は、前記第１乃至６の何れかの考案の筆記具陳列セットにおいて、前記陳列具の幅は１０００ｍｍ以下であることを特徴とする。
【００２０】
前記第７の考案の筆記具陳列セットによれば、水性顔料インキを好むユーザーが、用途に応じた筆記具を購入する場合、本考案の筆記具陳列セットの前に移動すれば、その後は、移動する必要がなく（例えば立ち止まったまま）、求める筆記具を迅速に選択することができる。
【００２１】
本願の第８の考案は、前記第１乃至７の何れかの考案の筆記具陳列セットにおいて、前記各種筆記具の端部に色表示部を備え、前記各種筆記具が前記陳列具に陳列された状態において、前記各種筆記具が、前記各種筆記具の色の種類と筆跡幅のサイズとよってマトリックス状に配列され且つ前記色表示部が視認可能に構成されることを特徴とする。
【００２２】
前記第８の考案の筆記具陳列セットによれば、カラフルで見栄えがよく、ユーザーが色の種類と筆跡幅のサイズから所望する筆記具を容易に選択することができる。
【００２３】
本願の第９の考案は、前記第１乃至８の何れかの考案の筆記具陳列セットにおいて、前記マーキンペン群の各種マーキングペンの全長が、前記ボールペン群の各種ボールペンの全長より小さいことを特徴とする。
【００２４】
前記第９の考案の筆記具陳列セットによれば、嵩張りがちなマーキングペンの体積を小さくして、陳列具の限られたスペースに陳列できる筆記具の本数を増加させることができる。尚、本考案で全長とは、筆記具の先端から後端までの筆記具の軸方向の全長をいう。出没式筆記具の場合はペン先没入状態における全長であり、キャップ式筆記具の場合はペン先側にキャップを装着した状態における全長を指す。
【００２５】
本願の第１０の考案は、前記第１乃至９の何れかの考案の筆記具陳列セットにおいて、前記マーキンペン群の各種マーキングペンが、全ての横断面において、軸心に対して点対称形状であることを特徴とする。本考案で、点対称形状とは、軸心まわりに１８０°回転させたときに、回転前の形状に一致する形状をいい、例えば、円、楕円、正方形、長方形、ひし形、正六角形等の正多角形が挙げられる。
【００２６】
前記第１０の考案の筆記具陳列セットによれば、嵩張りがちなマーキングペンの外面にクリップやリブ等の突起物を備えず、陳列具の限られたスペースに陳列できる筆記具の本数を増加させることができる。
【００２７】
本願の第１１の考案は、前記第１乃至１０の何れかの考案の筆記具陳列セットにおいて、前記ボールペン群における各種ボールペンの総筆記距離Ａｍ、前記マーキンペン群の各種マーキングペンの総筆記距離Ｂｍとしたとき、０．８Ａ＜Ｂ＜１．２Ａを満足することを特徴とする。
【００２８】
前記第１１の考案の筆記具陳列セットによれば、筆記具陳列セットに陳列された各筆記具のペン先の種類や外径、筆跡幅によらず、筆記可能距離が略同等としているため、使用者がインキ終了までを認識しやすい効果を奏する。具体的には、各総筆記距離は、４００ｍ〜８００ｍが好ましい。
尚、本考案における筆跡幅は、ＪＩＳ規格Ｓ６０５４に準じて（２０℃、筆記角度７０度、筆記速度４ｍ／ｍｉｎ、自公転、筆記荷重１００ｇｆ、下敷きステンレス板、ＪＩＳ  Ｐ３２０１筆記用紙Ａ）に筆記したものを使用した。
また、前記筆記によって得られた筆跡をＩＳＯ１３６６０に準じて、筆跡幅（ｍｍ）は、反射率の６０％以下の領域の平均値を測定したもので、本考案における筆跡幅は、パーソナル画質評価装置（QEA（Quality Engineering Associates）社製、ＰＩＡＳ−ＩＩ）によって求めることができる。尚、本考案においては、１５箇所測定し、その平均値によって求められる。
【００２９】
・顔料
本考案の水性顔料インキに用いる顔料としては、カーボンブラック、群青、二酸化チタン系白色顔料等の無機顔料、アゾ系顔料、フタロシアニン系顔料、インジゴ顔料、チオインジゴ顔料、スレン顔料、キナクリドン系顔料、アントラキノン系顔料、スロン系顔料、ジケトピロロピロール系顔料、ジオキサジン系顔料、ペリレン系顔料、ペリノン系顔料、イソインドリノン系顔料等の有機顔料、金属光沢顔料、蛍光顔料、熱変色性顔料、蓄光性顔料が挙げられる。
【００３０】
前記金属光沢顔料は、例えば、アルミニウムや真鍮等の金属光沢顔料、天然雲母や合成雲母の表面を酸化チタンで被覆した真珠光沢性を有する金属光沢顔料、酸化アルミニウムや偏平状ガラス片を表面を酸化チタンで被覆した真珠光沢性を有する金属光沢顔料、透明性樹脂層を複数積層した虹彩性フィルムを細かく裁断した虹彩性を有する金属光沢顔料、透明又は着色透明フィルムに金属蒸着膜を形成した金属光沢顔料が挙げられる。
【００３１】
前記蛍光顔料は、例えば、硫化亜鉛、珪酸亜鉛、硫酸亜鉛カドミウム、硫化カルシウム、硫化ストロンチウム、タングステン酸カルシウム等の無機蛍光顔料、各種蛍光性染料を樹脂マトリックス中に固溶体化した合成樹脂微細粒子状の有機蛍光顔料が挙げられる。
【００３２】
・筆記具
ボールペン
前記各種ボールペンは、先端にペン先としてボールペンチップを備える。前記ボールペンチップは、先端に回転可能にペン先ボールが抱持される。前記ペン先ボールの直径は、０．２５〜１．２ｍｍの範囲が好ましく、例えば、０．２５ｍｍ、０．２８ｍｍ、０．３ｍｍ，０．３８ｍｍ、０．４ｍｍ、０．５ｍｍ、０．７ｍｍ、０．８ｍｍ、１．０ｍｍ、１．２ｍｍのボールが採用される。前記ボールペンチップは、金属製チップ本体の先端部に切削加工によりボール抱持孔及びボール受け座を形成するタイプ、または、金属製パイプの先端近傍に内方への押圧変形によりボール受け座用の複数の内方突出部を形成するタイプが挙げられる。
【００３３】
前記各種ボールペンは、先端にボールペンチップを備えたインキ収容管の内部に、インキと該インキの消費に伴い前進する追従体（例えば高粘度流体）を充填した構成（追従体タイプ）、インキを直に貯溜するインキタンクとボールペンチップとの間に、インキタンク内の内圧変動に応じた溢出インキを一時的に保持するインキ保溜部材を介在させた（直液タイプ）、ボールペンチップを先端に備えた軸筒内に、インキを含浸させたインキ吸蔵体を収容した（中綿タイプ）が挙げられる。
【００３４】
前記各種ボールペンは、先端にボールペンチップを備えたボールペンレフィルが軸筒内に収容され、前記軸筒の先端孔からペン先を出没自在に構成された出没式ボールペン、または、軸筒のペン先側に着脱自在にキャップを備えたキャップ式ボールペンが挙げられる。
【００３５】
・マーキングペン     
前記各種マーキングペンは、先端にペン先としてマーキングペンチップを備える。前記マーキングペンチップは、例えば、繊維の樹脂加工体、合成樹脂の多孔質体、軸方向のインキ誘導路を備えた合成樹脂押出成形体が挙げられる。
【００３６】
前記各種マーキングペンは、マーキングペンチップを先端に備えた軸筒内に、インキを含浸させたインキ吸蔵体が収容された構成（中綿タイプ）、インキを直に貯溜するインキタンクとマーキングペンチップとの間に、インキタンク内の内圧変動に応じた溢出インキを一時的に保持するインキ保溜部材が介在された構成（直液タイプ）、インキを直に貯溜するインキタンクとマーキングペンチップとの間に、弁蔵置が配置され、外部操作により（例えばペン先の後退操作または軸筒の後端の操作部を押圧操作）により前記弁装置が開口されてインキタンク内のインキをマーキングペンチップに供給する構成（弁タイプ）が挙げられる。
【００３７】
前記各種マーキングペンは、軸筒のペン先側に着脱自在にキャップを備えたキャップ式マーキングペン、または、先端にマーキングペンチップを備えたマーキングペンレフィルが軸筒内に収容され、前記軸筒の開閉自在の先端孔からペン先を出没自在に構成された出没式マーキングペンが挙げられる。
【００３８】
・陳列具
前記陳列具は、上方または前方に開口する容器部に筆記具を収容する容器タイプ、筆記具が収容された包装袋の孔に棒状のフックに通して吊り下げる吊下陳列タイプが挙げられる。前記陳列具は、容器タイプの場合、複数の容器部（保持部）を備え、吊下陳列タイプの場合、複数のフック（保持部）を備える。
【考案の効果】
【００３９】
本考案の筆記具陳列セットによれば、水性顔料インキを有する複数種の筆記具の中から用途に応じた最適な筆記具を容易に見つけることができる。
【図面の簡単な説明】
【００４０】
【図１】本考案の第１の実施の形態を構成する陳列具を示す斜視図である。
【図２】図１の陳列具の平面図である。
【図３】図１の陳列具に筆記具を陳列した状態の筆記具陳列セットの平面図である。
【図４】本考案の第２の実施の形態を構成する陳列具を示す斜視図である。
【図５】図４の陳列具の正面図である。
【図６】図４の陳列具に筆記具を陳列した状態の筆記具陳列セットの正面図である。
【考案を実施するための形態】
【００４１】
＜第１の実施の形態＞
本考案の第１の実施の形態の筆記具陳列セット１は、複数種の筆記具２Ａ〜２Ｇと、前記複数種の筆記具を陳列する陳列具３とからなる。前記複数種の筆記具の各々は、内部に顔料と水を含有する水性顔料インキが収容され且つ先端に前記水性顔料インキが吐出可能なペン先を備える。
前記複数種の筆記具２Ａ〜２Ｇの各々は、ボールペン群と、マーキングペン群とからなる。
前記水性顔料インキは、黒、赤、青、緑、黄、オレンジ系複数色、ピンク系複数色、酸化チタン系白色顔料を含有する白及びパステル系複数色、金属光沢顔料を含有する金、銀、及びメタリック系複数色、蛍光顔料を含有する蛍光系複数色等により複数色（例えば１２色）が用意される。
【００４２】
前記ボールペン群が、得られる筆跡幅が異なる複数種（例えば６種：Ａ，Ｂ，Ｃ，Ｄ，Ｅ）のボールペンからなる。
【００４３】
前記Ａタイプのボールペン２Ａはボール直径が０．３ｍｍ、得られる筆跡幅が０．１５ｍｍである。前記Ａタイプのボールペン２Ａは、得られる総筆記距離が、収容される水性顔料インキの種類によって５００ｍ〜１０００ｍの中から選ばれる。
前記Ｂタイプのボールペン２Ｂはボール直径が０．４ｍｍ、得られる筆跡幅が０．２ｍｍである。前記Ｂタイプのボールペン２Ｂは、得られる総筆記距離が、収容される水性顔料インキの種類によって５００ｍ〜１０００ｍの中から選ばれる。
前記Ｃタイプのボールペン２Ｃはボール直径が０．３８ｍｍ、得られる筆跡幅が０．２４ｍｍ〜０．２６ｍｍである。前記Ｃタイプのボールペン２Ｃは、得られる総筆記距離が、収容される水性顔料インキの種類によって６００ｍ〜８００ｍの中から選ばれる。
前記Ｄタイプのボールペン２Ｄはボール直径が０．５ｍｍ、得られる筆跡幅が０．２８ｍｍ〜０．３５ｍｍである。前記Ｄタイプのボールペン２Ｄは、得られる総筆記距離が、収容される水性顔料インキの種類によって４００ｍ〜９００ｍの中から選ばれる。
前記Ｅタイプのボールペン２Ｅはボール直径が０．７ｍｍ、得られる筆跡幅が０．３４ｍｍ〜０．３５ｍｍである。前記Ｅタイプのボールペン２Ｆは、得られる総筆記距離が、収容される水性顔料インキの種類によって４００ｍ〜８００ｍの中から選ばれる。
【００４４】
前記マーキンペン群が、得られる筆跡幅が異なる複数種（例えば２種：Ｆ，Ｇ）のマーキングペンからなる。
前記Ｆタイプのマーキングペン２Ｆはペン先が繊維加工体からなり、得られる筆跡幅が０．９ｍｍ〜１．１ｍｍである。前記Ｆタイプのボールペン２Ｆは、得られる総筆記距離が、収容される水性顔料インキの種類によって２５０ｍ〜４００ｍの中から選ばれる。
前記Ｇタイプのマーキングペン２Ｇはペン先が繊維加工体からなり、得られる筆跡幅１．５８〜１．９８ｍｍである。前記Ｇタイプのボールペン２Ｇは、得られる総筆記距離が、収容される水性顔料インキの種類によって２５０ｍ〜４００ｍの中から選ばれる。
【００４５】
・ボールペン
前記各種ボールペンＡ〜Ｅタイプは、先端にボールペンチップを備えたインキ収容管の内部に、インキと該インキの消費に伴い前進する追従体（例えば高粘度流体）を充填した構成（追従体タイプ）のボールペンレフィルと、前記ボールペンレフィルが内部に収容され且つペン先が先端孔より出没自在に構成された軸筒とからなる出没式ボールペン、または、前記ボールペンレフィルと、前記ボールペンレフィルが内部に収容され且つ前記ボールペンレフィルのペン先が先端孔より突出された軸筒と、前記軸筒のペン先側に着脱自在に装着されるキャップとからなるキャップ式ボールペンが採用される。
【００４６】
・マーキングペン     
前記各種マーキングペンＦ及びＧタイプは、インキを直に貯溜するインキタンクとマーキングペンチップとの間に、弁蔵置が配置され、外部操作により（例えばペン先の後退操作または軸筒の後端の操作部を押圧操作）により前記弁装置が開口されてインキタンク内のインキをマーキングペンチップに供給する構成（弁タイプ）が採用される。
【００４７】
前記各種マーキングペンＦ及びＧタイプは、軸筒のペン先側に着脱自在にキャップを備えたキャップ式マーキングペンが採用される。
【００４８】
前記マーキングペン群の各種マーキングペンの全長は、略１２０ｍｍに設定される。前記ボールペン群の各種ボールペンの全長は、略１４３ｍｍに設定される。
前記マーキングペン群の各種マーキングペンが、全ての横断面において、軸心に対して点対称形状（例えば、円、楕円、正方形、長方形、ひし形、正六角形等の正多角形）である。
【００４９】
・陳列具
前記陳列具３の幅は９００ｍｍ、高さ５００ｍｍ、奥行き４２０ｍｍである。
前記陳列具３は、各種筆記具を略垂直方向に陳列するタイプであり、各種筆記具の上方に開口する方形状の容器部４（保持部）が複数、形成される。
【００５０】
前記陳列具３は、複数（例えば１２個）の容器部４が横方向に配列された第１の配列４１と、
前記第１の配列の後方に配置され且つ複数（例えば１２個）の容器部４が横方向に配列された第２の配列４２と、
前記第２の配列の後方に配置され且つ複数（例えば１２個）の容器部４が横方向に配列された第３の配列４３と、
前記第３の配列の後方に配置され且つ複数（例えば１２個）の容器部４が横方向に配列された第４の配列４４と、
前記第４の配列の後方に配置され且つ複数（例えば１２個）の容器部４が横方向に配列された第５の配列４５と、
前記第５の配列の後方に配置され且つ複数（例えば１２個）の容器部４が横方向に配列された第６の配列４６と、
前記第６の配列の後方に配置され且つ複数（例えば１２個）の容器部４が横方向に配列された第７の配列４７とからなる。
前記第１の配列〜第７の配列は、後方に向かうに従い順に上方に配置（即ち階段状に配置）される。
【００５１】
前記第１の配列の各容器部４と前記第２の配列の各容器部４は、同じ形状且つ同じ面積の開口部を備え、前記第３の配列〜前記第７の配列の各容器部４は、同じ形状且つ同じ面積の開口部を備える。前記第１の配列の各容器部４と前記第２の配列の各容器部４の開口部は、前記第３の配列〜前記第７の配列の各容器部４よりも大きな面積を有する。
【００５２】
前記第１の配列４１の容器部４には、前記Ｇタイプのマーキングペン２Ｇが色別に収容される。
前記第２の配列４２の容器部４には、前記Ｆタイプのマーキングペン２Ｆが色別に収容される。
前記第３の配列４３の容器部４には、前記Ｅタイプのボールペン２Ｅが色別に収容される。
前記第４の配列４４の容器部４には、前記Ｄタイプのボールペン２Ｄが色別に収容される。
前記第５の配列４５の容器部４には、前記Ｃタイプのボールペン２Ｃが色別に収容される。
前記第６の配列４６の容器部４には、前記Ｂタイプのボールペン２Ｂが色別に収容される。
前記第７の配列４７の容器部４には、前記Ａタイプのボールペン２Ａが色別に収容される。
【００５３】
前記陳列具３の各容器部４の各々の縦方向の配列には、同種または類似の色の水性顔料インキを有する筆記具が収容される。
前記各種筆記具の端部に色表示部を備える。前記色表示部は、各種筆記具の内部に収容されたインキの色と略同色に着色された部品（例えば、軸筒、クリップ、キャップ、頭冠、操作部等）を筆記具の端部に備える構成が挙げられる。
前記各種筆記具が前記陳列具３に陳列された状態において、前記各種筆記具が、前記各種筆記具の色の種類と筆跡幅のサイズとよってマトリックス状に配列される。
前記各種筆記具が前記陳列具３に陳列された状態において、前記色表示部が視認可能に構成される。
【００５４】
＜第２の実施の形態＞
本考案の第２の実施の形態の筆記具陳列セット１は、第１の実施の形態と同様、複数種の筆記具２Ａ〜２Ｇと、前記複数種の筆記具を陳列する陳列具３とからなる。前記複数種の筆記具の各々は、内部に顔料と水を含有する水性顔料インキが収容され且つ先端に前記水性顔料インキが吐出可能なペン先を備える。
前記複数種の筆記具２Ａ〜２Ｇの各々は、ボールペン群と、マーキングペン群とからなる。
前記水性顔料インキは、黒、赤、青、緑、黄、オレンジ系複数色、ピンク系複数色、酸化チタン系白色顔料を含有する白及びパステル系複数色、金属光沢顔料を含有する金、銀、及びメタリック系複数色、蛍光顔料を含有する蛍光系複数色等により複数色（例えば１２色）が用意される。
【００５５】
前記ボールペン群が、得られる筆跡幅が異なる複数種（例えば６種：Ａ，Ｂ，Ｃ，Ｄ，Ｅ）のボールペンからなる。
【００５６】
前記Ａタイプのボールペン２Ａはボール直径が０．３ｍｍ、得られる筆跡幅が０．１５ｍｍである。前記Ａタイプのボールペン２Ａは、得られる総筆記距離が、収容される水性顔料インキの種類によって５００ｍ〜１０００ｍの中から選ばれる。
前記Ｂタイプのボールペン２Ｂはボール直径が０．４ｍｍ、得られる筆跡幅が０．２ｍｍである。前記Ｂタイプのボールペン２Ｂは、得られる総筆記距離が、収容される水性顔料インキの種類によって５００ｍ〜１０００ｍの中から選ばれる。
前記Ｃタイプのボールペン２Ｃはボール直径が０．３８ｍｍ、得られる筆跡幅が０．２４ｍｍ〜０．２６ｍｍである。前記Ｃタイプのボールペン２Ｃは、得られる総筆記距離が、収容される水性顔料インキの種類によって６００ｍ〜８００ｍの中から選ばれる。
前記Ｄタイプのボールペン２Ｄはボール直径が０．５ｍｍ、得られる筆跡幅が０．２８ｍｍ〜０．３５ｍｍである。前記Ｄタイプのボールペン２Ｄは、得られる総筆記距離が、収容される水性顔料インキの種類によって４００ｍ〜９００ｍの中から選ばれる。
前記Ｅタイプのボールペン２Ｅはボール直径が０．７ｍｍ、得られる筆跡幅が０．３４ｍｍ〜０．３５ｍｍである。前記Ｅタイプのボールペン２Ｅは、得られる総筆記距離が、収容される水性顔料インキの種類によって４００ｍ〜８００ｍの中から選ばれる。
【００５７】
前記マーキンペン群が、得られる筆跡幅が異なる複数種（例えば２種：Ｆ，Ｇ）のマーキングペンからなる。
前記Ｆタイプのマーキングペン２Ｆはペン先が繊維加工体からなり、得られる筆跡幅が０．９ｍｍ〜１．１ｍｍである。前記Ｆタイプのボールペン２Ｆは、得られる総筆記距離が、収容される水性顔料インキの種類によって２５０ｍ〜４００ｍの中から選ばれる。
前記Ｇタイプのマーキングペン２Ｇはペン先が繊維加工体からなり、得られる筆跡幅１．５８〜１．９８ｍｍである。前記Ｇタイプのボールペン２Ｇは、得られる総筆記距離が、収容される水性顔料インキの種類によって２５０ｍ〜４００ｍの中から選ばれる。
【００５８】
・ボールペン
前記各種ボールペンは、先端にボールペンチップを備えたインキ収容管の内部に、インキと該インキの消費に伴い前進する追従体（例えば高粘度流体）を充填した構成（追従体タイプ）のボールペンレフィルと、前記ボールペンレフィルが内部に収容され且つペン先が先端孔より出没自在に構成された軸筒とからなる出没式ボールペン、または、ボールペンレフィルと、前記ボールペンレフィルが内部に収容され且つペン先が先端孔より突出された軸筒と、前記軸筒のペン先側に着脱自在に装着されるキャップとからなるキャップ式ボールペンが採用される。
【００５９】
前記各種ボールペンＡ〜Ｅタイプは、先端にボールペンチップを備えたボールペンレフィルが軸筒内に収容され、前記軸筒の先端孔からペン先を出没自在に構成された出没式ボールペン、または、軸筒のペン先側に着脱自在にキャップを備えたキャップ式ボールペンが挙げられる。
【００６０】
・マーキングペン     
前記各種マーキングペンＦ及びＧタイプは、インキを直に貯溜するインキタンクとマーキングペンチップとの間に、弁蔵置が配置され、外部操作により（例えばペン先の後退操作または軸筒の後端の操作部を押圧操作）により前記弁装置が開口されてインキタンク内のインキをマーキングペンチップに供給する構成（弁タイプ）が採用される。
【００６１】
前記各種マーキングペンＦ及びＧタイプは、軸筒のペン先側に着脱自在にキャップを備えたキャップ式マーキングペンが採用される。
【００６２】
前記マーキングペン群の各種マーキングペンの全長は、略１２０ｍｍに設定される。前記ボールペン群の各種ボールペンの全長は、略１４３ｍｍに設定される。
前記マーキングペン群の各種マーキングペンが、全ての横断面において、軸心に対して点対称形状（例えば、円、楕円、正方形、長方形、ひし形、正六角形等の正多角形）である。
【００６３】
・陳列具
前記陳列具３の幅は９００ｍｍ、高さ５００ｍｍ、奥行き２００ｍｍである。
前記陳列具３は、略水平方向に（具体的には僅かに後方に向かって次第に下降するように）に各種筆記具を陳列するタイプであり、各種筆記具の前方に開口する方形状の容器部４（保持部）が複数、形成される。
【００６４】
前記陳列具３は、複数（例えば１２個）の容器部４が横方向に配列された第１の配列４１と、
前記第１の配列の上方に配置され且つ複数（例えば１２個）の容器部４が横方向に配列された第２の配列４２と、
前記第２の配列の上方に配置され且つ複数（例えば１２個）の容器部４が横方向に配列された第３の配列４３と、
前記第３の配列の上方に配置され且つ複数（例えば１２個）の容器部４が横方向に配列された第４の配列４４と、
前記第４の配列の上方に配置され且つ複数（例えば１２個）の容器部４が横方向に配列された第５の配列４５と、
前記第５の配列の上方に配置され且つ複数（例えば１２個）の容器部４が横方向に配列された第６の配列４６と、
前記第６の配列の上方に配置され且つ複数（例えば１２個）の容器部４が横方向に配列された第７の配列４７とからなる。
前記第１の配列の各容器部４と前記第２の配列の各容器部４は、同じ形状且つ同じ面積の開口部を備え、
前記第３の配列〜前記第７の配列の各容器部４は、同じ形状且つ同じ面積の開口部を備える。
前記第１の配列の各容器部４と前記第２の配列の各容器部４の開口部は、前記第３の配列〜前記第７の配列の各容器部４よりも大きな面積を有する。
【００６５】
前記第１の配列４１の容器部４には、前記Ｇタイプのマーキングペン２Ｇが色別に収容される。
前記第２の配列４２の容器部４には、前記Ｆタイプのマーキングペン２Ｆが色別に収容される。
前記第３の配列４３の容器部４には、前記Ｅタイプのボールペン２Ｅが色別に収容される。
前記第４の配列４４の容器部４には、前記Ｄタイプのボールペン２Ｄが色別に収容される。
前記第５の配列４５の容器部４には、前記Ｃタイプのボールペン２Ｃが色別に収容される。
前記第６の配列４６の容器部４には、前記Ｂタイプのボールペン２Ｂが色別に収容される。
前記第７の配列４７の容器部４には、前記Ａタイプのボールペン２Ａが色別に収容される。
【００６６】
前記陳列具３の各容器部４の各々縦方向の配列には、同種または類似の色の水性顔料インキを有する筆記具が収容される。
前記各種筆記具の端部に色表示部を備える。前記色表示部は、各種筆記具の内部に収容されたインキの色と略同色に着色された部品（例えば、軸筒、クリップ、キャップ、頭冠、操作部等）を筆記具の端部に備える構成が挙げられる。
前記各種筆記具が前記陳列具３に陳列された状態において、前記各種筆記具が、前記各種筆記具の色の種類と筆跡幅のサイズとよってマトリックス状に配列される。
前記各種筆記具が前記陳列具３に陳列された状態において、前記色表示部が視認可能に構成される。
【符号の説明】
【００６７】
１  筆記具陳列セット
２Ａ  Ａタイプのボールペン（Ａタイプの筆記具）
２Ｂ  Ｂタイプのボールペン（Ｂタイプの筆記具）
２Ｃ  Ｃタイプのボールペン（Ｃタイプの筆記具）
２Ｄ  Ｄタイプのボールペン（Ｄタイプの筆記具）
２Ｅ  Ｅタイプのボールペン（Ｅタイプの筆記具）
２Ｆ  Ｆタイプのマーキングペン（Ｆタイプの筆記具）
２Ｇ  Ｇタイプのマーキングペン（Ｇタイプの筆記具）
３  陳列具
４  容器部
４１  第１の配列
４２  第２の配列
４３  第３の配列
４４  第４の配列
４５  第５の配列
４６  第６の配列
４７  第７の配列
【図１】
0003203440.tif 000003
【図２】
0003203440.tif 000004
【図３】
0003203440.tif 000005
【図４】
0003203440.tif 000006
【図５】
0003203440.tif 000007
【図６】
0003203440.tif 000008